(57)【特許請求の範囲】
【請求項１】
冊子状の通帳を収容する収容体と、
前記収容体において前記通帳の一方の平面に対向する壁面に設けられており、前記一方の平面に接触しつつ前記通帳を前記一方の平面に沿った方向に送り出す送り出し部材と、
前記収容体の通帳を前記送り出し部材とは反対側の他方の平面から付勢する押圧部材と、を備え、
前記押圧部材には、
前記冊子状の通帳の開口端側の両角部を支持する複数の支持部が形成されている
ことを特徴とする通帳取扱装置。
【請求項２】
前記壁面には、
前記通帳における前記他方の平面が前記押圧部材によって付勢されている状態において、前記送り出し部材が前記壁面の開口部から突出することにより前記一方の平面と前記壁面との間に形成された隙間を埋めるように前記一方の平面に接する補助部材が設けられている
ことを特徴とする請求項１に記載の通帳取扱装置。
【請求項３】
前記送り出し部材は、前記壁面の上下方向において、前記補助部材の間に位置し、かつ、前記補助部材と交互に位置するように、複数設けられているとともに、
前記壁面には、前記複数の送り出し部材に対応する位置に矩形状の開口部がそれぞれ形成されており、前記複数の送り出し部材の一部が前記それぞれの開口部から露出している
ことを特徴とする請求項２に記載の通帳取扱装置。
【請求項４】
前記補助部材は、前記壁面に、前記複数の送り出し部材のうちの各送り出し部材を挟んで両側に複数設けられており、
前記壁面には、前記複数の送り出し部材のうちの少なくとも一方の送り出し部材を挟んで両側に前記複数の送り出し部材が設けられている
ことを特徴とする請求項３に記載の通帳取扱装置。
【請求項５】
前記押圧部材には、
前記複数の支持部の間に切り欠き部が形成されている
ことを特徴とする請求項１に記載の通帳取扱装置。
【請求項６】
前記切り欠き部は、前記冊子状の通帳を把持して前記収容体に補充する際に補充者の手の指が前記押圧部材により妨げられないように形成されている
ことを特徴とする請求項５に記載の通帳取扱装置。
【請求項７】
前記押圧部材は、その下辺端部が前記冊子状の通帳の下辺端部よりも下側に配置されている
ことを特徴とする請求項１に記載の通帳取扱装置。
【請求項８】
前記押圧部材に固定された部材であって、前記壁面に向けて押すことにより前記押圧部材を前記壁面に近づけたり、前記壁面から遠ざけることにより前記押圧部材を前記壁面から引き離すための手がけを備える
ことを特徴とする請求項１に記載の通帳取扱装置。
【発明の詳細な説明】
【技術分野】
【０００１】
本発明は、現金自動預払機などにおいて通帳を取り扱う通帳取扱装置に関する。
【背景技術】
【０００２】
従来、例えばＡＴＭ（Ａｕｔｏｍａｔｅｄ  Ｔｅｌｌｅｒｓ  Ｍａｃｈｉｎｅ）のような金融機関システムに採用されている自動取引装置は、装置取扱者によって挿入された通帳にこれ以上記帳できる欄がなくなると、スタッカーから新しい通帳を取り出して発行する機能を備えているものが存在している（例えば特許文献１）。
【先行技術文献】
【特許文献】
【０００３】
【特許文献１】特開２００８−１４０２３９号公報
【発明の概要】
【発明が解決しようとする課題】
【０００４】
このようなスタッカーには常時新しい通帳が収容されているが、このスタッカー内に収容されている通帳が紙などの材質である場合、温度、湿度の変化や時間の経過に応じて通帳の角部が変形してしまうことがある。このような変形が生じると、スタッカーから送り出されて搬送路において通帳の角部が折れてしまったりジャムが発生するおそれがあった。
【０００５】
本発明は以上の点を考慮してなされたもので、温度、湿度の変化や時間の経過によっても通帳の角部が変形することを抑制できる通帳取扱装置を提案しようとするものである。
【課題を解決するための手段】
【０００６】
かかる課題を解決するため本発明においては、冊子状の通帳を収容する収容体と、前記収容体において前記通帳の一方の平面に対向する壁面に設けられており、前記一方の平面に接触しつつ前記通帳を前記一方の平面に沿った方向に送り出す送り出し部材と、前記収容体の通帳を前記送り出し部材とは反対側の他方の平面から付勢する押圧部材と、を備える通帳取扱装置において、前記押圧部材には、前記冊子状の通帳の開口端側の両角部を支持する複数の支持部が形成されているようにした。
【発明の効果】
【０００７】
本発明によれば、温度、湿度の変化や時間の経過によって通帳の角部が変形しにくくすることができる。
【図面の簡単な説明】
【０００８】
【図１】本実施形態による通帳取扱装置の構成を示すブロック図である。
【図２】通帳繰出部の上面図である。
【図３】通帳繰出部のスタッカーの正面図である。
【図４】通帳繰出部のスタッカーを正面左上側から見た斜視図である。
【図５】通帳繰出部のスタッカーを正面右上側から見た右斜視図である。
【図６】（ａ）通帳繰出部のスタッカーの左側面図であり、（ｂ）通帳繰出部のスタッカーの右側面図である。
【図７】押板の他の形状を示す通帳繰出部のスタッカーの左側面図である。
【発明を実施するための形態】
【０００９】
以下図面について、本発明の一実施の形態を詳述する。なお、本実施形態では、銀行システムなどの金融機関システムに採用されるＡＴＭ（Ａｕｔｏｍａｔｅｄ  Ｔｅｌｌｅｒｓ  Ｍａｃｈｉｎｅ）として、新規の通帳を発行することができる通帳繰出部を備える通帳取扱装置について説明する。通帳取扱装置は、金融機関システムにおける上位制御装置と各種情報をやりとりする。
【００１０】
（１）本実施形態による通帳取扱装置の構成
図１は、本実施形態による通帳取扱装置１００の構成の一例を示す。通帳取扱装置１００は、装置取扱者によって冊子状の通帳１が挿入される挿入口２と、この挿入口２に挿入される通帳１を搬送する搬送手段３と、通帳１に設けられた磁気ストライプに書き込まれる装置取扱者の取引情報を読み取り又は書き込む記録部４と、通帳１の印字済み行数やページ数を読み取る光学センサ５と、通帳１に装置取扱者の取引内容の印字を行う印字部６と、通帳１のページめくりを行うページ替え部７と、通帳取扱装置１００の全体の制御を行う制御部８と、駆動手段９と、複数種類の新規の通帳を収容して発行することができる２つの通帳繰出部１０ａ，１０ｂと、装置取扱者の通帳１に記入可能な欄がなくなったとき一時的に待避する待避路１１と、を備えている。
【００１１】
搬送手段３は、搬送方向の上流側から下流側までに亘って所定間隔ごとに上下一対のローラが設けられ、通帳１を上下一対のローラにより挟持すると共に、上下一対のローラの回転により搬送方向の上流側から下流側までに亘る搬送路において通帳１を往復させて搬送することができる。
【００１２】
駆動手段９は、搬送モータ、駆動機構、及び接続切機構を備え、搬送モータの出力を、駆動機構を介して、搬送手段３の複数の上下一対のローラの回転として伝達することができる。駆動手段９は、待避路１１へ搬送された通帳１を、接続機構を介して、搬送手段３から切り離して待避路１１に待避する状態としたり、待避路１１に待避する通帳１を、接続機構を介して、搬送手段３に接続して再び搬送する状態としたりすることができる。
【００１３】
２つの通帳繰出部１０ａ，１０ｂのうち、通帳繰出部１０ａには、Ａ種の新規の通帳とＢ種の新規の通帳とがそれぞれ複数収容されていると共に、通帳繰出部１０ｂには、Ｃ種の新規の通帳とＤ種の新規の通帳とがそれぞれ複数収容されている。
【００１４】
制御部８は、搬送手段３、記録部４、光学センサ５、印字部６、ページ替え部７、駆動手段９、２つの通帳繰出部１０ａ，１０ｂと電気的に接続されていると共に、金融機関システムにおける上位制御装置と電気的に接続されている。
【００１５】
（２）本実施形態による通帳取扱装置の動作
ここで、本実施形態による通帳取扱装置１００の動作について説明する。まず、装置取扱者が通帳１を開いた状態で挿入口２から挿入すると、通帳１が搬送手段３における搬送方向の上流側に搬送されて上下一対のローラにより挟持される状態となる。このような状態となると、制御部８は、駆動手段９の搬送モータを駆動開始して搬送手段３の上下一対のローラを回転することにより通帳１を挿入口２から通帳取扱装置１００内に取り込んで搬送方向の下流側に向かって通帳１を搬送開始する。
【００１６】
制御部８は、通帳１を記録部４まで搬送すると、通帳１の磁気ストライプから装置取扱者の取引情報を記録部４により読み出し、この読み出した装置取扱者の取引情報に基づいて、金融機関システムにおける上位制御装置と各種情報をやりとりする。
【００１７】
制御部８は、通帳１をページ替え部７まで搬送すると、駆動手段９の搬送モータを駆動停止して通帳１を搬送手段３の上下一対のローラで挟持して固定した状態とする。制御部８は、通帳１の表紙ページをページ替え部７でページめくりすると、光学センサ５からの検出信号に基づいて、通帳１の印字済み行数やページ数を読み取り、印字することができるページとなるまでページ替え部７でページめくりする。制御部８は、金融機関システムにおける上位制御装置とやりとりした各種情報に基づいて、装置取扱者の取引内容の印字を印字部６で行うと共に、ページに印字する印字行がなくなると、ページ替え部７でページめくりして装置取扱者の取引内容の印字を印字部６で継続する。
【００１８】
続いて、制御部８は、印字部６による印字を完了すると、駆動手段９の搬送モータを駆動開始して搬送手段３の上下一対のローラを回転して搬送方向の上流側に向かって通帳１を搬送開始する。
【００１９】
制御部８は、通帳１を記録部４まで搬送すると、通帳１の磁気ストライプに装置取扱者の取引情報の記録を記録部４で書き込み、搬送手段３の上流側から挿入口２に搬出して駆動手段９の搬送モータを駆動停止する。これにより、挿入口２から搬出される通帳１を装置取扱者に返却する状態とする。
【００２０】
なお、制御部８は、金融機関システムにおける上位制御装置とやりとりした各種情報に基づいて、装置取扱者の取引内容の印字を印字部６で行ってページに印字する印字行がなくなると、ページ替え部７でページめくりして装置取扱者の取引内容の印字を印字部６で継続している場合に通帳１が満記となったときには駆動手段９の搬送モータを駆動開始して搬送手段３の上下一対のローラを回転して搬送方向の下流側に向かって通帳１を搬送開始して待避路１１へ搬送する。制御部８は、駆動手段９の接続切機構に備える電気的駆動源（例えばモータやソレノイド）を制御して待避路１１へ搬送された通帳１を、接続機構を介して、搬送手段３から切り離して待避路１１に待避する状態とする。
【００２１】
待避路１１に通帳１が待避されると、制御部８は、２つの通帳繰出部１０ａ，１０ｂに収容されている複数種類の新規の通帳のうち、待避路１１へ搬送された通帳１と対応する種類の新規の通帳を２つの通帳繰出部１０ａ，１０ｂを制御して閉じた状態で搬送手段３に繰り出す。制御部８は、駆動手段９の搬送モータを駆動開始して搬送手段３の上下一対のローラを回転して新規の通帳の表紙ページを印字部６に向かって搬送開始する。制御部８は、新規の通帳の表紙ページを印字部６により印字開始する位置まで搬送すると、駆動手段９の搬送モータを駆動停止して搬送手段３の上下一対のローラで挟持して固定した状態とする。制御部８は、記録部４により読み出した装置取扱者の取引情報に基づいて、装置取扱者の名前や支店名を印字部６で行い、ページ替え部７で表紙ページをページめくりして装置取扱者の取引内容の印字を印字部６で継続する。
【００２２】
続いて、制御部８は、印字部６による印字を完了すると、駆動手段９の搬送モータを駆動開始して搬送手段３の上下一対のローラを回転して搬送方向の上流側に向かって新規の通帳を搬送開始し、新規の通帳を記録部４まで搬送すると、新規の通帳の磁気ストライプに装置取扱者の取引情報の記録を記録部４で書き込み、搬送手段３の上流側から挿入口２へ搬出して駆動手段９の搬送モータを駆動停止する。これにより、挿入口２から搬出される新規の通帳を装置取扱者に返却する状態とする。
【００２３】
装置取扱者が挿入口２から新規の通帳を取り出すと、制御部８は、駆動手段９の接続切機構に備える電気的駆動源を制御して待避路１１に待避する通帳１を、接続機構を介して、搬送手段３に接続して再び搬送する状態とする。制御部８は、駆動手段９の搬送モータを駆動開始して搬送手段３の上下一対のローラを回転して搬送方向の上流側に向かって通帳１を搬送開始する。この制御部８は、通帳１を記録部４まで搬送すると、通帳１の磁気ストライプに装置取扱者の取引情報の記録を記録部４で書き込み、搬送手段３の上流側から挿入口２へ搬出する。さらに制御部８は、駆動手段９の搬送モータを駆動停止する。これにより、挿入口２から搬出される通帳１を装置取扱者に返却する状態とする。
【００２４】
（３）本実施形態による通帳繰出部の構成
続いて、２つの通帳繰出部１０ａ，１０ｂの構成の一例について説明する。２つの通帳繰出部１０ａ，１０ｂはほぼ同一の構成であるため、通帳繰出部１０ａについて説明する。
【００２５】
図２は、通帳繰出部１０ａの上面図であり、図３は、通帳繰出部１０ａのスタッカーＳの正面図である。図４は、通帳繰出部１０ａのスタッカーＳを正面左上側から見た斜視図であり、図５は、通帳繰出部１０ａのスタッカーＳを正面右上側から見た右斜視図である。
【００２６】
通帳繰出部１０ａは、複数種類の新規の通帳を収容する収容体としてのスタッカーＳが着脱自在に装着されている。スタッカーＳは、所定距離寸法離間して配置される壁面１３ａ，１３ｂにより、Ａ種の新規の通帳２０を複数収容するスタッカーＳＡと、Ｂ種の新規の通帳２１を複数収容するスタッカーＳＢとから構成されている。壁面１３ａ，１３ｂは、略Ｕ字状に折り曲げて形成される薄肉板がそれぞれ開口端側を塞ぐように合わせて配置されることにより薄肉板の平らな後面によりそれぞれ構成されている。また略Ｕ字状に折り曲げて形成される薄肉板がそれぞれ開口端側を塞ぐように合わせて配置されることにより内部空間が形成されている。
【００２７】
Ａ種の新規の通帳２０を複数収容するスタッカーＳＡは、Ａ種の新規の通帳２０の綴じ目側が通帳繰出部１０ａの底板側となる向きとなるように（Ａ種の新規の通帳２０の開口端側が通帳繰出部１０ａの底板側と反対側の向きとなるように）、壁面１３ａからＡ種の新規の通帳２０を一冊ずつ順番に整列した状態で配置されている。スタッカーＳＡは、壁面１３ａから最も遠い最後尾のＡ種の新規の通帳２０に対してバネによる復元力が板状の押板１２ａを介して付与されることにより押板１２ａによる押圧が壁面１３ａに向かって付与される状態となっている。
【００２８】
Ｂ種の新規の通帳２１を複数収容するスタッカーＳＢは、Ｂ種の新規の通帳２１の綴じ目側が通帳繰出部１０ａの底板側となる向きとなるように（Ａ種の新規の通帳２０の開口端側が通帳繰出部１０ａの底板側と反対側の向きとなるように）、壁面１３ｂからＢ種の新規の通帳２１を一冊ずつ順番に整列した状態で配置されている。スタッカーＳＢは、壁面１３ｂから最も遠い最後尾のＢ種の新規の通帳２１に対してバネによる復元力が板状の押板１２ｂを介して付与されることにより押板１２ｂによる押圧が壁面１３ｂに向かって付与される状態となっている。
【００２９】
所定距離寸法離間して配置される壁面１３ａ，１３ｂより形成される内部空間には、スタッカーＳＡに複数収容されるＡ種の新規の通帳２０を通帳繰出部１０ａの底板に形成される繰出溝に繰り出す上側ローラ１４ａａと下側ローラ１４ａｂと、スタッカーＳＡ用繰出モータと、スタッカーＳＡ用繰出モータの出力を上側ローラ１４ａａと下側ローラ１４ａｂとの回転として伝達するスタッカーＳＡ用駆動機構とを備える。この内部空間にはさらに、スタッカーＳＢに複数収容されるＢ種の新規の通帳２１を通帳繰出部１０ａの底板に形成される繰出溝に繰り出す上側ローラ１４ｂａと下側ローラ１４ｂｂと、スタッカーＳＢ用繰出モータと、スタッカーＳＢ用繰出モータの出力を上側ローラ１４ｂａと下側ローラ１４ｂｂとの回転として伝達するスタッカーＳＢ用駆動機構とを備えている。
【００３０】
壁面１３ａには、上側ローラ１４ａａと下側ローラ１４ａｂとに対応する位置に矩形状の開口部がそれぞれ形成され、上側ローラ１４ａａのローラ面の一部と下側ローラ１４ａｂのローラ面の一部とがそれぞれの開口部から露出している状態となっている。また壁面１３ａには、上側ローラ１４ａａのローラ面の一部が露出する開口部の上方に矩形状を有する上側フラットバー１８ａａが設けられている。この壁面１３ａには、上側ローラ１４ａａのローラ面の一部が露出する開口部と、下側ローラ１４ａｂのローラ面の一部が露出する開口部との間に矩形状を有する中央側フラットバー１８ａｂが設けられ、下側ローラ１４ａｂのローラ面の一部が露出する開口部の下方に矩形状を有する下側フラットバー１８ａｃが設けられている。このように、Ａ種の新規の通帳２０と壁面１３ａとの間に形成される隙間を塞ぐことができる上側フラットバー１８ａａ、中央側フラットバー１８ａｂ、及び下側フラットバー１８ａｃがそれぞれ設けられている。
【００３１】
Ａ種の新規の通帳２０が当接する上側フラットバー１８ａａの面と、Ａ種の新規の通帳２０が当接する中央側フラットバー１８ａｂの面と、Ａ種の新規の通帳２０が当接する下側フラットバー１８ａｃの面とは、同一平面上となるように、上側フラットバー１８ａａ、中央側フラットバー１８ａｂ、及び下側フラットバー１８ａｃの厚みがそれぞれ形成されている。さらにこれらの面が各開口部から一部が露出する上側ローラ１４ａａのローラ面と下側ローラ１４ａｂのローラ面と比べて壁面１３ａ側に対して低く（例えば数ミリ低く）なるように、上側フラットバー１８ａａ、中央側フラットバー１８ａｂ、及び下側フラットバー１８ａｃの厚みがそれぞれ形成されている。
【００３２】
これにより、スタッカーＳＡに複数収容されるＡ種の新規の通帳２０は、最後尾のＡ種の新規の通帳２０に対してバネによる復元力が板状の押板１２ａを介して付与されることにより押板１２ａによる押圧が壁面１３ａに向かって付与される状態となっているため、先頭のＡ種の新規の通帳２０は、上側ローラ１４ａａのローラ面と下側ローラ１４ａｂのローラ面とによる面圧を確実に得ることができるようになっている。制御部８は、スタッカーＳＡ用繰出モータを駆動開始して上側ローラ１４ａａと下側ローラ１４ａｂとを回転することにより、先頭のＡ種の新規の通帳２０の綴じ目側から通帳繰出部１０ａの底板に形成される繰出溝に向かって送り出して繰出溝からＡ種の新規の通帳２０を閉じた状態で確実に搬送手段３に繰り出すことができる。
【００３３】
また先頭のＡ種の新規の通帳２０の壁面１３ａ側に対向する面は、その開口端側の上側全体が上側フラットバー１８ａａの面と当接して面圧が付与されていると共に、先頭のＡ種の新規の通帳２０の壁面１３ａ側と反対側の面は、後続の複数のＡ種の新規通帳２０により全体が当接して面圧が付与されている。このため、温度、湿度の変化、時間の経過に伴って先頭のＡ種の新規の通帳２０の両角部の形状が変形することを防止することができることにより、例えば案内板（ガイド）等の繋ぎ目で引っ掛かって繰り出しや搬送の際に先頭のＡ種の新規の通帳２０の角部折れやジャムが発生することを抑制することができる。
【００３４】
更に先頭のＡ種の新規の通帳２０の壁面１３ａ側に対向する面は、その開口端側の上部全体が上側フラットバー１８ａａの面と当接して面圧が付与されているほかに、その中央全体が中央側フラットバー１８ａｂの面と当接して面圧が付与され、その綴じ目側全体が下側フラットバー１８ａｃの面と当接して面圧が付与されていると共に、先頭のＡ種の新規の通帳２０の壁面１３ａ側と反対側の面は、後続の複数のＡ種の新規通帳２０により全体が当接して面圧が付与されているため、温度、湿度の変化、時間の経過に伴って先頭のＡ種の新規の通帳２０の反りを防止することができる。
【００３５】
壁面１３ｂには、壁面１３ａと同様に、上側ローラ１４ｂａと下側ローラ１４ｂｂとに対応する位置に矩形状の開口部がそれぞれ形成され、上側ローラ１４ｂａのローラ面の一部と下側ローラ１４ｂｂのローラ面の一部とがそれぞれの開口部から露出している状態となっている。また壁面１３ｂには、壁面１３ａと同様に、上側ローラ１４ｂａのローラ面の一部が露出する開口部の上方に矩形状を有する上側フラットバー１８ｂａが設けられ、上側ローラ１４ｂａのローラ面の一部が露出する開口部と、下側ローラ１４ｂｂのローラ面の一部が露出する開口部との間に矩形状を有する中央側フラットバー１８ｂｂが設けられ、下側ローラ１４ｂｂのローラ面の一部が露出する開口部の下方に矩形状を有する下側フラットバー１８ｂｃが設けられている。このように、Ｂ種の新規の通帳２１と壁面１３ｂとの間に形成される隙間を塞ぐことができる上側フラットバー１８ｂａ、中央側フラットバー１８ｂｂ、及び下側フラットバー１８ｂｃがそれぞれ設けられている。
【００３６】
Ｂ種の新規の通帳２１が当接する上側フラットバー１８ｂａの面と、Ｂ種の新規の通帳２１が当接する中央側フラットバー１８ｂｂの面と、Ｂ種の新規の通帳２１が当接する下側フラットバー１８ｂｃの面とは、同一平面上となるように、これらの面が、各開口部から一部が露出する上側ローラ１４ｂａのローラ面と下側ローラ１４ｂｂのローラ面と比べて壁面１３ｂ側に対して低く（例えば数ミリ低く）なるように、上側フラットバー１８ｂａ、中央側フラットバー１８ｂｂ、及び下側フラットバー１８ｂｃの厚みがそれぞれ形成されている。
【００３７】
これにより、スタッカーＳＢに複数収容されるＢ種の新規の通帳２１は、最後尾のＢ種の新規の通帳２１に対してバネによる復元力が板状の押板１２ｂを介して付与されることにより押板１２ｂによる押圧が壁面１３ｂに向かって付与される状態となっているため、先頭のＢ種の新規の通帳２１は、上側ローラ１４ｂａのローラ面と下側ローラ１４ｂｂのローラ面とによる面圧を確実に得ることができるようになっている。制御部８は、スタッカーＳＢ用繰出モータを駆動開始して上側ローラ１４ｂａと下側ローラ１４ｂｂとを回転することにより先頭のＢ種の新規の通帳２１の綴じ目側から通帳繰出部１０ａの底板に形成される繰出溝に向かって送り出して繰出溝からＢ種の新規の通帳２１を閉じた状態で確実に搬送手段３に繰り出すことができる。
【００３８】
また先頭のＢ種の新規の通帳２１の壁面１３ｂ側に対向する面は、その開口端側の上側全体が上側フラットバー１８ｂａの面と当接して面圧が付与されていると共に、先頭のＢ種の新規の通帳２１の壁面１３ｂ側と反対側の面は、後続の複数のＢ種の新規通帳２１により全体が当接して面圧が付与されている。このため、温度、湿度の変化、時間の経過に伴って先頭のＢ種の新規の通帳２１の両角部の形状が変形することを抑制できることにより、例えば案内板（ガイド）等の繋ぎ目で引っ掛かって繰り出しや搬送の際に先頭のＢ種の新規の通帳２１の角部折れやジャムが発生することを抑制することができる。
【００３９】
更に先頭のＢ種の新規の通帳２１の壁面１３ｂ側に対向する面は、その開口端側の上部全体が上側フラットバー１８ｂａの面と当接して面圧が付与されているほかに、その中央全体が中央側フラットバー１８ｂｂの面と当接して面圧が付与され、その綴じ目側全体が下側フラットバー１８ｂｃの面と当接して面圧が付与されていると共に、先頭のＢ種の新規の通帳２１の壁面１３ａ側と反対側の面は、後続の複数のＢ種の新規通帳２１により全体が当接して面圧が付与されている。このため、温度、湿度の変化、時間の経過に伴って先頭のＢ種の新規の通帳２１の反りを防止することができる。
【００４０】
（４）本実施形態による押板の形状
次に、スタッカーＳＡの押板１２ａとスタッカーＳＢの押板１２ｂとの構成について説明する。スタッカーＳＡとスタッカーＳＢとは、同一の構成であるため、ここでは、スタッカーＳＡの押板１２ａについて説明する。なお、スタッカーＳＢに関する内容や押板１２ｂの各種構成部材については、スタッカーＳＡに関する内容や押板１２ａの各種構成部材に付与した符号に続けて括弧書きで示す。図６（ａ）は、通帳繰出部１０ａのスタッカーＳの左側面図であり、図６（ｂ）は、通帳繰出部１０ａのスタッカーＳの右側面図である。
【００４１】
押板１２ａ（１２ｂ）は、Ａ種の新規の通帳２０（Ｂ種の新規の通帳２１）の外形と比べて小さい矩形状の本体１２ａａ（１２ｂａ）の上側両角部に、Ａ種の新規の通帳２０（Ｂ種の新規の通帳２１）の開口端側の上側両角部を覆うように反り防止部１２ａｂ，１２ａｂ（１２ｂｂ，１２ｂｂ）を設けて、全体としてＹ字形状の板状に形成されている。押板１２ａ（１２ｂ）がＡ種の新規の通帳２０（Ｂ種の新規の通帳２１）に対して押圧を付与する状態において、押板１２ａ（１２ｂ）の本体１２ａａ（１２ｂａ）の上辺の中点と下辺の中点とを通る中心線は、Ａ種の新規の通帳２０（Ｂ種の新規の通帳２１）の上辺の中点と下辺の中点とを通る中心線と同一直線上に並ぶと共に、押板１２ａ（１２ｂ）の本体１２ａａ（１２ｂａ）の下辺がＡ種の新規の通帳２０（Ｂ種の新規の通帳２１）の下辺より下方に位置する配置となる。
【００４２】
このような配置により、押板１２ａ（１２ｂ）の本体１２ａａ（１２ｂａ）の左辺とＡ種の新規の通帳２０（Ｂ種の新規の通帳２１）の左辺との間に左側空間が形成され、押板１２ａ（１２ｂ）の本体１２ａａ（１２ｂａ）の上辺とＡ種の新規の通帳２０（Ｂ種の新規の通帳２１）の上辺との間に上側空間が形成され、押板１２ａ（１２ｂ）の本体１２ａａ（１２ｂａ）の右辺とＡ種の新規の通帳２０（Ｂ種の新規の通帳２１）の右辺との間に右側空間が形成されることとなる。左側空間、上側空間、及び右側空間は、補充者がＡ種の新規の通帳２０（Ｂ種の新規の通帳２１）を補充する際に、補充者の指が入る大きさに形成されていると共に、左側空間と右側空間とは同一の大きさを有すると共に、上側空間は、左側空間、右側空間と比べて大きい空間として形成されている。
【００４３】
また押板１２ａ（１２ｂ）の本体１２ａａ（１２ｂａ）の下辺がＡ種の新規の通帳２０（Ｂ種の新規の通帳２１）の下辺より下方に位置するように配置されているため、押板１２ａ（１２ｂ）の本体１２ａａ（１２ｂａ）の下側全体でＡ種の新規の通帳２０（Ｂ種の新規の通帳２１）の綴じ目側を押圧することができる。これにより、Ａ種の新規の通帳２０（Ｂ種の新規の通帳２１）の綴じ目による膨らみ量を抑制することができることでＡ種の新規の通帳２０（Ｂ種の新規の通帳２１）の姿勢を押板１２ａ（１２ｂ）や壁面１３ａ（１３ｂ）に対して過度に傾くことを防止することができるため、Ａ種の新規の通帳２０（Ｂ種の新規の通帳２１）を正しい姿勢に維持しながら整列することができる。
【００４４】
また反り防止部１２ａｂ，１２ａｂ（１２ｂｂ，１２ｂｂ）は、Ａ種の新規の通帳２０（Ｂ種の新規の通帳２１）の上側両角部を当接して押圧を付与することができるため、温度、湿度の変化、時間の経過に伴ってＡ種の新規の通帳２０（Ｂ種の新規の通帳２１）の両角部の形状が変形することを防止することができることにより、例えば案内板（ガイド）等の繋ぎ目で引っ掛かって繰り出しや搬送の際にＡ種の新規の通帳２０（Ｂ種の新規の通帳２１）の角部折れやジャム等が生じることを抑制することができる。
【００４５】
また押板１２ａ（１２ｂ）は、反り防止部１２ａｂ，１２ａｂ（１２ｂｂ，１２ｂｂ）が形成されることにより、その上辺中央に切欠部１２ａｃ（１２ｂｃ）が形成される。この切欠部１２ａｃ（１２ｂｃ）は、スタッカーＳＡ（ＳＢ）に補充者がＡ種の新規の通帳２０（Ｂ種の新規の通帳２１）を補充する際に、補充者の指が少なくとも４本分が入る大きさとなるように形成されている。これにより、補充者がＡ種の新規の通帳２０（Ｂ種の新規の通帳２１）を補充する際に、補充者の少なくとも４本の指が反り防止部１２ａｂ，１２ａｂ（１２ｂｂ，１２ｂｂ）に妨げられず補充し易くなる。また補充者の指が押板１２ａ（１２ｂ）と補充したＡ種の新規の通帳２０（Ｂ種の新規の通帳２１）とにより挟まれることを防止することができると共に、補充者の指が押板１２ａ（１２ｂ）に引っかかり難くすることで補充者の指の怪我を防止することもできる。
【００４６】
また左側空間、及び右側空間は、補充者がＡ種の新規の通帳２０（Ｂ種の新規の通帳２１）を補充する際に、補充者の指が入る大きさに形成されていると共に、左側空間と右側空間とは同一の大きさを有しているため、スタッカーＳＡ（ＳＢ）に補充したＡ種の新規の通帳２０（Ｂ種の新規の通帳２１）の姿勢を矯正する際に利用することができる。
【００４７】
また押板１２ａ（１２ｂ）は、壁面１３ａ（１３ｂ）との空間を広げて補充者がスタッカーＳＡ（スタッカーＳＢ）にＡ種の新規通帳２０（Ｂ種の新規の通帳２１）を補充する場合において、押板１２ａ（１２ｂ）を壁面１３ａ（１３ｂ）と反対側に向かって引き出し易くするために、円柱形状を有する取手１２ａｄ（１２ｂｄ）が押板１２ａ（１２ｂ）のＡ種の新規の通帳２０（Ｂ種の新規の通帳２１）と当接して押圧を付与する面と反対側の面に形成されていると共に、取手１２ａｄ（１２ｂｄ）に対して矩形状を有する板状の手掛け１２ａｅ（１２ｂｅ）が形成されている。補充者が押板１２ａ（１２ｂ）を引き出す際に、手掛け１２ａｅ（１２ｂｅ）に補充者の手を引っ掛けることで容易に押板１２ａ（１２ｂ）を引き出すことができる。
【００４８】
（５）効果
以上のように本実施形態による通帳取扱装置１００は、スタッカーＳＡに収容されるＡ種の新規の通帳２０を送り出し部材の一例としてのローラ１４ａａ，１４ａｂにより繰り出す通帳繰出部１０ａを備え、通帳繰出部１０ａは、スタッカーＳＡに収容されるＡ種の新規の通帳２０に対して押圧を付与する押圧部材の一例としての押板１２ａがローラ１４ａａ，１４ａｂが配置されるスタッカーＳＡの壁面１３ａと対向するように設けられ、押板１２ａは、スタッカーＳＡに収容されるＡ種の新規の通帳２０の開口端側の両角部を支持する支持部の一例としての反り防止部１２ａｂ，１２ａｂが形成されている。これにより、Ａ種の新規の通帳２０の開口端側の両角部に対して反り防止部１２ａｂ，１２ａｂにより付勢することができる。したがって、温度、湿度の変化や時間の経過によって通帳の開口端側の各角部が変形することを防止することができる。
【００４９】
一方、壁面１３ａには、押板１２ａによりスタッカーＳＡに収容されるＡ種の新規の通帳が壁面１３ａに押圧されてそのＡ種の新規の通帳２０とローラ１４ａａ，１４ａｂとが当接した状態において、そのＡ種の新規の通帳２０と壁面１３ａとの間に形成される隙間を塞ぐことができる補助部材としての上側フラットバー１８ａａ、中央側フラットバー１８ａｂ、及び下側フラットバー１８ａｃが設けられている。これにより、温度、湿度の変化、時間の経過に伴ってＡ種の新規の通帳２０の反りを防止することができる。
【００５０】
さらに押板１２ａには、スタッカーＳＡに収容されるＡ種の新規の通帳２０の開口端側の両角部を支持する反り防止部１２ａｂ，１２ａｂの間が切り欠かれた形状でなる切欠部１２ａｃが形成されている。これにより、スタッカーＳＡに補充者がＡ種の新規の通帳２０を補充する際に、補充者が指を挟むことなく補充し易くなる。
【００５１】
さらに本実施形態による通帳取扱装置１００は、この押板１２ａに固定された部材であって、壁面１３ａに向けて押すことにより押板１２ａを壁面１３ａに近づけたり、この壁面１３ａから遠ざけることによりこの押板１２ａを壁面１３ａから引き離すための手がけ手掛け１２ａｅが設けられている。これにより、補充者が通帳１を補充するために押板１２ａをスライドさせようとした場合に、補充者の手を手掛け１２ａｅに接触させて動かすことにより容易に押板１２ａを引き出して通帳１を挿入することができるばかりでなく、その逆の場合に容易に通帳１を取り出すこともできる。
【００５２】
（６）他の実施形態
なお、上述した実施形態においては、矩形状を有する押板１２ａの本体１２ａａの上側両角部に、Ａ種の新規の通帳２０の開口端側の上側両角部を覆うように反り防止部１２ａｂ，１２ａｂを設けて、全体としてＹ字形状の板状に押板１２ａが形成されていたが、他の形状としてもよい。
【００５３】
図７は、押板１２ａの他の形状を示す通帳繰出部１０ａのスタッカーＳの左側面図である。例えば、図７（ａ）に示すように、Ａ種の新規の通帳２０の開口端側の上側両角部を覆うように、矩形状の反り防止部１２ａｂ，１２ａｂを本体１２ａａの上側両角部に設けて全体として略Ｙ字形状の板状に押板１２ａが形成されるようにしてもよい。この場合、本体１２ａａの上方に矩形状の切欠部１２ａｃが形成されることとなる。
【００５４】
一方、図７（ｂ）に示すように、Ａ種の新規の通帳２０の左辺全体と右辺全体とをそれぞれ覆うように、矩形状の反り防止部１２ａｂ，１２ａｂを本体１２ａａの下側において接続することにより全体として英字Ｅを９０度左方向へ回転した形状の板状に押板１２ａが形成されるようにしてもよい。
【００５５】
この場合、本体１２ａａの上方にＵ字状の切欠部１２ａｃが形成されることとなる。このように押板１２ａとして、図７（ａ）及び図（ｂ）に示した形状を採用した場合においても、温度、湿度の変化や時間の経過によってＡ種の新規の通帳２０の両角部の形状が変形することを抑制することができる。なお、図７（ａ）及び図（ｂ）に示した切欠部１２ａｃは、スタッカーＳＡに補充者がＡ種の新規の通帳２０を補充する際に、補充者の指が少なくとも４本分が入る大きさとなるように形成されている。
【００５６】
また図７（ａ）及び図７（ｂ）に示した形状の押板１２ａにおいても、円柱形状を有する取手１２ａｄがＡ種の新規の通帳２０と当接して押圧を付与する面と反対側の面に形成されていると共に、取手１２ａｄ（１２ｂｄ）に対して矩形状を有する板状の手掛け１２ａｅが形成されている。
【符号の説明】
【００５７】
１…通帳、２…挿入口、３…搬送手段、４…記録部、５…光学センサ、６…印字部、７…ページ替え部、８…制御部、９…駆動手段、１０ａ…通帳繰出部、１０ｂ…通常繰出部、１１…退避路、１２ａ…押板、１２ａｂ…反り防止部、１２ａｅ…手掛け、１２ｂ…押板、１２ｂｂ…反り防止部、１２ｂｅ…手掛け、１３ａ…壁面、１３ｂ…壁面、１４ａａ…ローラ、１４ａｂ…ローラ、１４ｂａ…ローラ、１４ｂｂ…ローラ。
【図１】
0006546022.tif 000002
【図２】
0006546022.tif 000003
【図３】
0006546022.tif 000004
【図４】
0006546022.tif 000005
【図５】
0006546022.tif 000006
【図６】
0006546022.tif 000007
【図７】
0006546022.tif 000008